(57)【要約】      （修正有）【解決手段】携帯電話機１０は、スライドなどのタッチ操作がされるタッチパネル３８を備える。また、タッチ操作による入力によって所定の処理が実行されないようにするロック状態が設定できる。所定の方向にアラーム機能などが対応付けられた機能テーブルが、ＲＡＭ３４に記憶されている。ロック状態で、使用者が所定の方向と一致する方向へスライドを行った場合、ロック状態が解除されるとともに、その所定の方向に対応付けられた機能が実行される。【効果】複数の機能毎に異なる方向を対応付けることで、使用者は、携帯電話機１０を利用する様々な状況に応じた機能を、ロック状態を解除するとともに実行できる。また、一度の操作でロック状態を解除するとともに任意の機能を実行することができるため、使用者の操作性を向上させることができる。【選択図】図１
2015165681.tif 000002
【特許請求の範囲】
【請求項１】
タッチパネルおよび前記タッチパネルに対する入力を検出する入力検出部を有し、前記タッチパネルに対する入力に基づく所定の処理を実行させないロック状態が設定できる、携帯端末であって、
前記タッチパネルに対する入力に基づいて方向を検出する方向検出部、
所定の機能と前記方向検出部によって検出可能な方向とを対応付けたテーブルを記憶する記憶部、
前記ロック状態が設定されているとき、前記方向検出部によって検出された方向が前記テーブルに登録されている方向と一致するかを判断する判断部、および
前記判断部によって一致すると判断されたときにロック状態を解除し、かつ前記テーブルに基づいて所定の方向に対応付けられた所定の機能を実行する実行部を備える、携帯端末。
【請求項２】
任意の機能を選択させる選択画面を表示する表示部をさらに備え、
前記選択画面に基づいて任意の機能が選択されたとき、前記方向検出部によって検出された方向に、選択された任意の機能を対応付けて前記テーブルに登録する登録部をさらに備える、請求項１記載の携帯端末。
【請求項３】
実行された機能の履歴を記録する履歴記録部をさらに備え、
前記テーブルに記録される所定の機能は、前記履歴記録部によって記録された機能の履歴に基づいて登録される、請求項１または２記載の携帯端末。
【請求項４】
タッチパネル、前記タッチパネルに対する入力を検出する入力検出部および前記タッチパネルに対する入力に基づいて方向を検出する方向検出部を有し、前記タッチパネルに対する入力に基づく所定の処理を実行させないロック状態が設定でき、所定の機能と前記検出部によって検出可能な方向とを対応付けたテーブルを記憶する、携帯端末のプロセッサを、
前記ロック状態が設定されているとき、前記方向検出部によって検出された方向が前記テーブルに登録されている所定の方向と一致するかを判断する判断部、および
前記判断部によって一致すると判断されたときにロック状態を解除し、かつ前記テーブルに基づいて所定の方向に対応付けられた所定の機能を実行する実行部として機能させる、ロック解除プログラム。
【請求項５】
タッチパネル、前記タッチパネルに対する入力を検出する入力検出部および前記タッチパネルに対する入力に基づいて方向を検出する方向検出部を有し、前記タッチパネルに対する入力に基づく所定の処理を実行させないロック状態が設定でき、所定の機能と前記検出部によって検出可能な方向とを対応付けたテーブルを記憶する、携帯端末のロック解除方法であって、
前記ロック状態が設定されているとき、前記方向検出部によって検出された方向が前記テーブルに登録されている所定の方向と一致するかを判断し、そして
一致すると判断されたときにロック状態を解除し、かつ前記テーブルに基づいて所定の方向に対応付けられた所定の機能を実行する、ロック解除方法。
【発明の詳細な説明】
【技術分野】
【０００１】
この発明は、携帯端末、ロック解除プログラムおよびロック解除方法に関し、特にロック状態を設定することができる、携帯端末、ロック解除プログラムおよびロック解除方法に関する。
【背景技術】
【０００２】
ロック状態を設定することができる携帯端末の一例が特許文献１に開示されている。特許文献１の携帯端末装置では、ダブルタップする操作などのジェスチャが動作場面ごとに登録される。そして、タッチパネルが正常動作を停止しているときに、タッチパネルに対して登録されたジェスチャと一致するジェスチャが行われると、タッチパネルが正常動作状態にされるとともに、ジェスチャに対応する動作場面も正常動作状態になる。
【特許文献１】特開平１１−２０３０４５号公報［G06F 3/033, G06F 3/00, H04Q 7/38, H04M 1/02, H04M 1/23］
【発明の概要】
【発明が解決しようとする課題】
【０００３】
特許文献１のようにダブルタップなどのジェスチャを動作場面ごとに登録した場合、ジェスチャの種類が足りなくなってしまい、使用者が登録しようと考える動作場面の全てを登録できなくなってしまうことがある。
【０００４】
それゆえに、この発明の主たる目的は、新規な、携帯端末、ロック解除プログラムおよびロック解除方法を提供することである。
【０００５】
この発明の他の目的は、ロック状態を解除するとともに様々な機能を実行することができる、携帯端末、ロック解除プログラムおよびロック解除方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、タッチパネルおよびタッチパネルに対する入力を検出する入力検出部を有し、タッチパネルに対する入力に基づく所定の処理を実行させないロック状態が設定できる、携帯端末であって、タッチパネルに対する入力に基づいて方向を検出する方向検出部、所定の機能と方向検出部によって検出可能な方向とを対応付けたテーブルを記憶する記憶部、ロック状態が設定されているとき、方向検出部によって検出された方向がテーブルに登録されている方向と一致するかを判断する判断部、および判断部によって一致すると判断されたときにロック状態を解除し、かつテーブルに基づいて所定の方向に対応付けられた所定の機能を実行する実行部を備える、携帯端末である。
【０００８】
第１の発明では、携帯端末（１０：実施例において対応する部分を例示する参照符号。以下、同じ。）は、タッチ、リリースおよびスライドなどが行われるタッチパネル（３８）を備える。入力検出部（３６）はそれらのタッチ操作による入力を検出する。また、携帯端末にロック状態が設定されると、タッチパネルに対するタッチ操作によって所定の処理が実行されないようになる。方向検出部（２４，Ｓ７，Ｓ７９）は、たとえば使用者の指がスライドしたときの軌跡の方向を検出する。ＲＡＭなどを含む記憶部（３４）は、メール機能や、アラーム機能などの所定の機能と、検出可能な所定の方向（Ｂ１−Ｂ５）と
を対応付けたテーブルのデータ（３３８）を記憶する。ロック状態が設定されているときに、判断部（２４，Ｓ８１）は、たとえばスライドによって描かれた軌跡の方向が、上記テーブルに登録されている方向と一致するかを判断する。たとえば、軌跡の方向がアラーム機能と対応付けられた所定の方向（Ｂ１）と一致すると判断された場合、実行部（２４，Ｓ８３，Ｓ８５）はロック状態を解除するとともにアラーム機能を実行する。
【０００９】
第１の発明によれば、複数の機能毎に、異なる方向を対応付けることで、使用者は、携帯端末を利用する様々な状況に応じた機能を、ロック状態を解除するとともに実行できるようになる。
【００１０】
また、一度の操作でロック状態を解除するとともに任意の機能を実行することができるため、使用者の操作性を向上させることができる。
【００１１】
第２の発明は、第１の発明に従属し、任意の機能を選択させる選択画面を表示する表示部をさらに備え、選択画面に基づいて任意の機能が選択されたとき、方向検出部によって検出された方向に、選択された任意の機能を対応付けてテーブルに登録する登録部をさらに備える。
【００１２】
第２の発明では、たとえば、表示部（２４，Ｓ９）は、所定の方向を登録しようとするときに、アラーム機能や、メール機能などを選択するための選択画面を表示する。そして、メール機能が選択された場合、登録部（２４，Ｓ１３）は、登録するために検出された方向に、メール機能を対応付けてテーブルに登録する。
【００１３】
第２の発明によれば、使用者による任意の方向が、ロック状態を解除するための所定の方向として登録できるため、使用者の利便性が向上する。
【００１４】
第３の発明は、第１の発明または第２の発明に従属し、実行された機能の履歴を記録する履歴記録部をさらに備え、テーブルに記録される所定の機能は、履歴記録部によって記録された機能の履歴に基づいて登録される。
【００１５】
第３の発明では、履歴記録部（２４、Ｓ１０３）は、たとえば使用者によって実行された機能の履歴を記録する。そして、テーブルには、実行された回数が多い機能から順番に記録される。
【００１６】
第３の発明によれば、たとえば、操作方向にも順位を設定し、この操作方向の順位と、実行された機能の頻度の順位とを合致するように設定することで、ロック状態の解除とともに所望の機能を実行することができるため、使用者の利便性がより向上する。
【００１７】
第４の発明は、タッチパネル（３８）、タッチパネルに対する入力を検出する入力検出部（３６）およびタッチパネルに対する入力に基づいて方向を検出する方向検出部（２４，Ｓ７，Ｓ７９）を有し、タッチパネルに対する入力に基づく所定の処理を実行させないロック状態が設定でき、所定の機能と検出部によって検出可能な方向とを対応付けたテーブルを記憶する、携帯端末（１０）のプロセッサ（２４）を、ロック状態が設定されているとき、方向検出部によって検出された方向がテーブルに登録されている所定の方向と一致するかを判断する判断部（Ｓ８１）、および判断部によって一致すると判断されたときにロック状態を解除し、かつテーブルに基づいて所定の方向に対応付けられた所定の機能を実行する実行部（Ｓ８３，Ｓ８５）として機能させる、ロック解除プログラムである。
【００１８】
第４の発明も、第１の発明と同様、複数の機能毎に、異なる方向を対応付けることで、使用者は、携帯端末を利用する様々な状況に応じた機能を、ロック状態を解除するととも
に実行できるようになる。
【００１９】
第５の発明は、タッチパネル（３８）、タッチパネルに対する入力を検出する入力検出部（３６）およびタッチパネルに対する入力に基づいて方向を検出する方向検出部（２４，Ｓ７，Ｓ７９）を有し、タッチパネルに対する入力に基づく所定の処理を実行させないロック状態が設定でき、所定の機能と検出部によって検出可能な方向とを対応付けたテーブルを記憶する、携帯端末（１０）のロック解除方法であって、ロック状態が設定されているとき、方向検出部によって検出された方向がテーブルに登録されている所定の方向と一致するかを判断し（Ｓ８１）、そして一致すると判断されたときにロック状態を解除し、かつテーブルに基づいて所定の方向に対応付けられた所定の機能を実行する（Ｓ８３，Ｓ８５）、ロック解除方法である。
【００２０】
第５の発明も、第１の発明と同様、複数の機能毎に、異なる方向を対応付けることで、使用者は、携帯端末を利用する様々な状況に応じた機能を、ロック状態を解除するとともに実行できるようになる。
【発明の効果】
【００２１】
この発明によれば、複数の機能毎に、異なる方向を対応付けることで、使用者は、携帯端末を利用する様々な状況に応じた機能を、ロック状態を解除するとともに実行することができるようになる。
【００２２】
この発明の上述の目的、その他の目的、特徴および利点は、図面を参照して行う以下の実施例の詳細な説明から一層明らかとなろう。
【図面の簡単な説明】
【００２３】
【図１】図１はこの発明の一実施例の携帯電話機の電気的な構成を示す図解図である。
【図２】図２は図１に携帯電話機の外観の一例を示す図解図である。
【図３】図３は図２に示すタッチパネルに対して行われるタッチ操作の方向の一例を示す図解図である。
【図４】図４は図１に示すＲＡＭに記憶される機能テーブルデータの構成の一例を示す図解図である。
【図５】図５は図１に示すＲＡＭのメモリマップの一例を示す図解図である。
【図６】図６は図１に示す登録処理の一例を示すフロー図である。
【図７】図７は図１に示す方向検出処理の一例を示すフロー図である。
【図８】図８は図１に示すロック解除処理の一例を示すフロー図である。
【図９】図９は図１に示すＲＡＭに記憶される履歴テーブルデータの構成の一例を示す図解図である。
【図１０】図１０は図１に示すＲＡＭに記憶される頻度テーブルデータの構成の一例を示す図解図である。
【図１１】図１１は図１に示すＲＡＭに記憶される第２実施例の機能テーブルデータの構成の一例を示す図解図である。
【図１２】図１２は図１に示す履歴記録処理の一例を示すフロー図である。
【図１３】図１３は図１に示すＲＡＭに記憶される第３実施例の機能テーブルデータの構成の一例を示す図解図である。
【発明を実施するための形態】
【００２４】
＜第１実施例＞
図１を参照して、携帯電話機１０は、携帯端末の一種であり、コンピュータまたはＣＰＵと呼ばれるプロセッサ２４を含む。また、プロセッサ２４は、無線通信回路１４、Ａ／
Ｄ変換器１６、Ｄ／Ａ変換器２０、キー入力装置２６、表示ドライバ２８、フラッシュメモリ３２、ＲＡＭ３４およびタッチパネル制御回路３６などが接続される。また、無線通信回路１４にはアンテナ１２が接続される。Ａ／Ｄ変換器１６にはマイク１８が接続され、Ｄ／Ａ変換器２０にはスピーカ２２が接続される。表示ドライバ２８にはディスプレイ３０が接続される。そして、タッチパネル制御回路３６にはタッチパネル３８が接続される。
【００２５】
プロセッサ２４は、携帯電話機１０の全体制御を司る。ＲＡＭ３４は、記憶部として機能し、プロセッサ２４の作業領域（描画領域を含む）ないしバッファ領域として用いられる。フラッシュメモリ３２には、アプリケーションのデータなどが記録される。
【００２６】
Ａ／Ｄ変換器１６は、マイク１８を通して入力される音声ないし音についてのアナログ音声信号を、デジタル音声信号に変換する。Ｄ／Ａ変換器２０は、デジタル音声信号をアナログ音声信号に変換（復号）して、図示しないアンプを介してスピーカ２２に与える。したがって、アナログ音声信号に対応する音声ないし音がスピーカ２２から出力される。また、プロセッサ２４は、アンプの増幅率を制御することで、スピーカ２２から出力される音声の音量を調整することができる。
【００２７】
キー入力装置２６は、通話キー、終話キー、テンキーおよびアプリケーションキーなどが含まれる。また、使用者が操作したキーの情報（キーデータ）はプロセッサ２４に入力される。
【００２８】
表示ドライバ２８は、プロセッサ２４の指示の下、当該表示ドライバ２８に接続されたディスプレイ３０の表示を制御する。また、表示ドライバ２８は表示する画像データを一時的に記憶するビデオメモリ（図示せず）を含む。
【００２９】
タッチパネル３８は、指などの物体が表面に接近して生じた電極間の静電容量の変化を検出する静電容量方式で、たとえば１本または複数本の指がタッチパネル３８に触れたことを検出する。また、タッチパネル３８は、ディスプレイ３０の上に設けられ、その画面内で、任意の位置を指示するためのポインティングデバイスである。たとえば、タッチパネル３８は、その表面を指で、押したり、撫でたり、触られたりすることにより操作されると、その操作を検出する。そして、入力検出部として機能するタッチパネル制御回路３６は、タッチパネル３８に指が触れると、その指の位置を特定し、操作された位置を示す座標のデータをプロセッサ２４に出力する。つまり、使用者は、タッチパネル３８の表面を指で、押したり、撫でたり、触れたりすることによって、操作の方向や図形などを携帯電話機１０に入力することができる。
【００３０】
ここで、使用者がタッチパネル３６の上面を指で触れる操作を「タッチ」と言うことにする。一方、タッチパネル３６から指を離す操作を「リリース」と言うことにする。また、タッチパネル３６の表面を撫でる操作を「スライド」と言うことにする。そして、タッチによって示された座標を「タッチ点」（タッチ開始位置）、リリースによって示された座標を「リリース点」（タッチ終了位置）と言うことにする。そして、タッチ、リリースおよびスライドなどのタッチパネル３６に対して行う操作を、総じて「タッチ操作」と言うことにする。なお、タッチ操作は指だけに限らず、導電体が先端に取り付けられたタッチペンなどによって行われてもよい。また、タッチパネル３８の検出方式には、表面型の静電容量方式が採用されてもよいし、抵抗膜方式、超音波方式、赤外線方式および電磁誘導方式などであってもよい。
【００３１】
無線通信回路１４は、ＣＤＭＡ方式での無線通信を行うための回路である。たとえば、使用者がキー入力装置２６を用いて電話発信（発呼）を指示すると、無線通信回路１４は
、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００３２】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００３３】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号など）をディスプレイ３０に表示する。また、これとほぼ同時に、プロセッサ２４は、図示しないスピーカから着信音（着信メロディ、着信音声と言うこともある。）を出力させる。
【００３４】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００３５】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００３６】
なお、本実施例の携帯電話機１０は、所定の機能として、所定の時刻に音声を鳴らすアラーム機能、ネットワークを利用してＨＰを閲覧するためのブラウザ機能、メールの送受信を行うためのメール機能、所定の日程の予定（スケジュール）を登録／管理するためのスケジュール機能および電話番号およびメールアドレスなどを氏名と対応付けて管理するアドレス帳機能などを実行することができる。
【００３７】
図２（Ａ）は、携帯電話機１０の表面の外観を示す外観図であり、図２（Ｂ）は携帯電話機１０の裏面の外観を示す外観図である。図２（Ａ）を参照して、携帯電話機１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの縦方向一方の表面に設けられる。同じく、図示しないスピーカ２２は、筐体Ｃに内蔵され、内蔵されたスピーカ２２に通じる開口ＯＰ１は、筐体Ｃの縦方向他方の表面に設けられる。ディスプレイ３０は、モニタ画面が筐体Ｃの表面側から見えるように取り付けられる。また、ディスプレイ３０にはタッチパネル３８が設けられる。
【００３８】
キー入力装置２６は、通話キー２６ａ、機能キー２６ｂおよび終話キー２６ｃを含む。そして、これらのキーは筐体Ｃの表面に設けられる。
【００３９】
たとえば、使用者は、ディスプレイ３０に表示されたダイヤルキーに対して、タッチ操作を行うことで電話番号を入力し、通話キー２６ａによって音声発信操作を行う。そして、使用者は、通話が終了すると、終話キー２６ｃによって通話終了操作を行う。また、使用者は、機能キー２６ｂを操作することで、ディスプレイ３０にメニュー画面を表示する。さらに、使用者は、ディスプレイ３０に表示されたソフトキーおよびメニューに対してタッチ操作を行うことで、メニューの選択や確定を行う。そして、使用者は、終話キー２６ｃを長押しすることで携帯電話機１０の電源をオン／オフする。
【００４０】
なお、アンテナ１２、無線通信回路１４、Ａ／Ｄ１６、Ｄ／Ａ２０、プロセッサ２４、表示ドライバ２８、フラッシュメモリ３２、ＲＡＭ３４およびタッチパネル制御回路３６は筐体Ｃに内蔵されているため、図２（Ａ），（Ｂ）では図示されない。
【００４１】
ここで、携帯電話機１０は、電話機能などの携帯電話機１０で利用可能な機能を制限、またはタッチパネル３８がタッチ操作を受け付けないようにするロック機能を有している。たとえば、終話キー２６ｃが操作されると、ディスプレイ３０およびタッチパネル３８の電源がオフとなるとともにロック状態が設定される。つまり、タッチパネル３８の電源がオフになるため、タッチ操作は受け付けられない状態になる。この状態で、キー操作などによってディスプレイ３０の電源がオンにされると、タッチパネル３８の電源も同時にオンになり、ロック状態を解除するためのタッチ操作は受け付けられるようになる。そして、使用者は、タッチパネル３８における任意の位置から所定の方向に指をスライドさせると、ロック状態を解除することができる。
【００４２】
このとき、本実施例では、所定の方向に機能が対応付けられていれば、ロック状態が解除されるとともに、対応付けられた機能も実行される。
【００４３】
図３、図４を参照して、本実施例の携帯電話機には、ロック状態を解除するための所定の方向として、右方向Ｂ０、下方向Ｂ１、上方向Ｂ２、左方向Ｂ３、右上方向Ｂ４および上右方向Ｂ５の６種類の方向が登録されている。また、図４の機能テーブルに示すように、下方向Ｂ１にはアラーム機能が対応付けられており、上方向にはブラウザ機能が対応付けられており、左方向Ｂ３にはメール機能が対応付けられており、右上方向Ｂ４にはスケジュール機能が対応付けられており、上右方向Ｂ５にはアドレス帳機能が対応付けられている。なお、右方向Ｂ０には何も機能は対応付けられていない。
【００４４】
たとえば、ロック状態が設定されているときに、使用者が任意の位置から下へ指をスライドすると、スライドによって描かれた軌跡の方向が下方向Ｂ１と一致するため、ロック状態が解除されるとともに、アラーム機能が実行される。なお、アラーム機能が実行されると、ディスプレイ３０には、所定の時刻に音声を鳴らすためのアラーム時刻を登録したり、変更したりするためのＧＵＩが表示される。
【００４５】
また、右上方向Ｂ４と上右方向Ｂ５とは、スライドによって描かれる軌跡の変化が異なるため、別々の方向として検出される。そのため、使用者が任意の位置から右へ指をスライドしてそのまま上にスライドさせると、ロック状態が解除されるとともにスケジュール機能が実行される。また、使用者が任意の位置から上へ指をスライドしてそのまま右にスライドさせると、ロック状態が解除されるとともにアドレス帳機能が実行される。
【００４６】
このように、複数の機能毎に、異なる方向が対応付けられているため、使用者は、携帯電話機１０を利用する様々な状況に応じた機能を、ロック状態を解除するとともに実行できる。
【００４７】
また、一度のタッチ操作でロック状態を解除するとともに任意の機能を実行することができるため、使用者の操作性を向上させることができる。
【００４８】
さらに、使用者による任意の方向が、ロック状態を解除するための所定の方向として登録できるため、使用者の利便性を向上させることもできる。
【００４９】
なお、他の実施例では、プロセッサ２４が、タッチパネル制御回路３６が出力する信号を受け付けないように処理することで、タッチ操作による入力を無効にしてもよい。
【００５０】
また、機能が対応付けられていない右方向Ｂ０にスライドされた場合、ロック状態解除された後は、待機画面が表示されるが、機能は実行されない。
【００５１】
また、スライドの開始位置は図３に示すものに限られない。つまり、使用者は、ロック状態を解除して機能を実行させる場合、スライドの開始位置を気にする必要はない。
【００５２】
図５は、ＲＡＭ３４のメモリマップを示す図である。ＲＡＭ３４のメモリマップには、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００５３】
プログラム記憶領域３０２には、携帯電話機１０を動作させるためのプログラムが記憶されている。たとえば、携帯電話機１０を動作させるためのプログラムには、履歴記録プログラム３１０、登録プログラム３１２、方向検出プログラム３１４およびロック解除プログラム３１６などが含まれる。
【００５４】
履歴記録プログラム３１０は、携帯電話機１０で実行された機能を時系列的に記録するためのプログラムである。登録プログラム３１２は、ロック状態を解除するための所定の方向および機能を登録するためのプログラムである。方向検出プログラム３１４は、タッチパネル３８に対して指などがスライドした方向を検出するためのプログラムである。ロック解除プログラム３１６は、設定されたロック状態を解除するためのプログラムである。
【００５５】
なお、図示は省略するが、携帯電話機１０を動作させるためのプログラムには、アラーム機能や、ブラウザ機能などに対応するプログラム、ネットワークを介して外部機器（サーバなど）との通信を確立するためのプログラムなどが含まれる。
【００５６】
続いて、データ記憶領域３０４には、タッチバッファ３３０、軌跡バッファ３３２および方向バッファ３３４が設けられるとともに、履歴テーブルデータ３３６および機能テーブルデータ３３８などが記憶される。また、データ記憶領域３０４には、タッチフラグ３４０およびロックフラグ３４２が設けられる。
【００５７】
タッチバッファ３３０には、タッチ操作によるタッチ点、リリース点および現在のタッチ位置を示すタッチ座標などが記憶される。軌跡バッファ３３２には、スライドによって変化するタッチ座標の履歴が記憶される。方向バッファ３３４には、上述した方向検出プログラム３１４によって検出されたスライドの方向が記憶される。履歴テーブルデータ３３６は、図９に示すように、「実行されたプログラム」の履歴が記録されるテーブルのデータである。機能テーブルデータ３３８は、図４に示すように、所定の方向と所定の機能とが対応付けられたテーブルのデータである。
【００５８】
タッチフラグ３４０は、タッチパネル３８に対してタッチされているか否かを判断するためのフラグである。たとえば、タッチフラグ３３８は、１ビットのレジスタで構成される。タッチフラグ３３８がオン（成立）されると、レジスタにはデータ値「１」が設定される。一方、タッチフラグ３３８がオフ（不成立）されると、レジスタにはデータ値「０」が設定される。なお、タッチフラグ３３８は、タッチパネル制御回路３６が出力する信号に基づいてオン／オフが切り換えられる。
【００５９】
また、ロックフラグ３４２は、ロック状態が設定されているか否かを示すためのフラグである。たとえば、ロックフラグ３４２は、ディスプレイ３０およびタッチパネル３８の電源をオフにする処理に応じてオンにされる。また、ロックフラグ３４２は、上述したロック解除プログラム３１６の処理に応じてオフにされる。そして、ロックフラグ３４２の構成は、タッチフラグ３４０と略同じであるため、構成についての詳細な説明は省略する。
【００６０】
なお、図示は省略するが、データ記憶領域３０４には、待機状態で表示される画像データや、文字列のデータなどが記憶されると共に、携帯電話機１０の動作に必要なカウンタや、フラグも設けられる。
【００６１】
プロセッサ２４は、Ａｎｄｒｏｉｄ（登録商標）およびＲＥＸなどのＬｉｎｕｘ（登録商標）ベースのＯＳや、その他のＯＳの制御下で、図６に示す登録処理、図７に示す方向検出処理および図８に示すロック解除処理など含む複数のタスクを並列的に処理する。
【００６２】
図６は登録処理のフロー図である。たとえば、ロック状態を解除するための所定の方向を登録するためのＧＵＩが表示されると、プロセッサ２４はステップＳ１で、タッチされたか否かを判断する。つまり、タッチパネル３８に対してタッチされたかがタッチフラグ３４０に基づいて判断される。ステップＳ１で“ＮＯ”であれば、つまりタッチパネル３８にタッチされていなければ、ステップＳ１の処理が繰り返される。一方、ステップＳ１で“ＹＥＳ”であれば、たとえばタッチパネル３８に指などがタッチされると、ステップＳ３で軌跡を記録する。つまり、タッチ座標が軌跡バッファ３３２に記憶される。続いて、ステップＳ５では、リリースされたか否かを判断する。たとえばタッチパネル３８から指が離されたかがタッチフラグ３４０に基づいて判断される。ステップＳ５で“ＮＯ”であれば、つまりタッチフラグ３４０がオンの状態であれば、ステップＳ３に戻る。そのため、タッチパネル３８から指などが離されるまでは、タッチ位置の変化が軌跡として記録され続ける。
【００６３】
ステップＳ５で“ＹＥＳ”であれば、たとえばタッチパネル３８から指が離されると、ステップＳ７で方向検出処理が実行される。なお、この方向検出処理については後述するため、ここでの詳細な説明は省略する。また、ステップＳ７の処理を実行するプロセッサ２４は、方向検出部として機能する。
【００６４】
続いて、ステップＳ９で、機能の選択画面を表示する。つまり、検出された方向に対して対応付ける機能を選択するために、選択画面が表示される。なお、ステップＳ９の処理を実行するプロセッサ２４は表示部として機能する。続いて、ステップＳ１１では、機能が選択されたか否かを判断する。たとえば、表示される複数の機能の中から１つを選択するタッチ操作が行われたか否かを判断する。ステップＳ１１で“ＮＯ”であれば、つまり機能が選択されていなければ、ステップＳ１１の処理を繰り返して実行する。一方、ステップＳ１１で“ＹＥＳ”であれば、つまり機能を選択する操作が行われれば、ステップＳ１３で選択された機能と検出された方向とを対応付けて登録する。たとえば、検出された方向が下方向Ｂ１であり、選択された機能がアラーム機能であれば、図４に示すように下方向Ｂ１とアラーム機能とが対応付けられて、機能テーブルに記録（登録）される。また
、検出された方向が右上方向Ｂ４であり、選択された機能がスケジュール機能であれば、右上方向Ｂ４にスケジュール機能が対応付けられて登録される。さらに、検出された方向が上右方向Ｂ５であり、選択された機能がアドレス帳機能であれば、上右方向Ｂ５にアドレス帳機能が対応付けられて登録される。そして、ステップＳ１３の処理が終了すれば、登録処理は終了する。また、ステップＳ１３の処理を実行するプロセッサ２４は登録部として機能する。
【００６５】
なお、他の実施例では、記録された軌跡の長さが所定値以下であれば、ステップＳ７の処理を実行せずに、再入力を求める画面を表示したうえで、ステップＳ１に戻ってもよい。
【００６６】
図７は方向検出処理のフロー図である。たとえば、図６に示す登録処理でステップＳ７が実行されると、プロセッサ２４はステップＳ３１で、方向配列を設定する。この方向配列とは、タッチ座標が変化する毎に算出された方向を連続して記録するための配列である。また、設定する方向配列の大きさは、軌跡バッファ３３２に記憶されているタッチ座標の数に基づいて設定される。たとえば、記憶されるタッチ座標の数が「１００」の場合、「方向配列[１００]＝方向配列[０]，[１]，…[９９]」が設定される。
【００６７】
続いて、ステップＳ３３では、開始位置を変数Ｐ１に設定する。つまり、軌跡バッファ３３２に記録されている、最初のタッチ座標が変数Ｐ１に設定される。続いて、ステップＳ３５では、変数Ｐ１に対する、次の位置を変数Ｐ２に設定する。つまり、プロセッサ２４は、軌跡バッファ３３２において、変数Ｐ１に設定されたタッチ座標の次に記録されているタッチ座標を、変数Ｐ２にする。続いて、ステップＳ３７では、変数Ｐ１と変数Ｐ２とに基づいて方向を検出する。つまり、変数Ｐ１に設定されるタッチ座標に対して、変数Ｐ２に設定されたタッチ座標が存在する方向を検出する。続いて、ステップＳ３９は算出された方向を方向配列に記録する。たとえば、タッチ点に対する方向が検出された場合は、「方向配列[０]」に検出された方向が記録される。
【００６８】
ここで、本実施例では、１つの座標に対して８方向（上、右上、右、右下、下、左下、左、左上）を定義し、それらの方向に対して「上」から時計回りに「０」〜「７」が対応付けられている。そして、変数Ｐ２の位置が上に存在する場合は「０」が方向配列に記録され、右上に存在する場合は「１」が方向配列に記録される。なお、方向配列を指定する変数はステップＳ３９の処理が実行された後にインクリメントされる。
【００６９】
続いて、ステップＳ４１では、変数Ｐ２に設定された位置が軌跡の最終位置か否かを判断する。つまり、変数Ｐ２に設定されたタッチ座標がタッチバッファ３３０に格納されるリリース点と一致するか否かを判断する。ステップＳ４１で“ＮＯ”であれば、つまり最終位置でなければ、ステップＳ４３で変数Ｐ２に設定された位置を変数Ｐ１に設定する。つまり、次の方向を検出するために、変数Ｐ２に設定されているタッチ座標が変数Ｐ１に設定される。そして、ステップＳ４３の処理が終了すれば、ステップＳ３５に戻る。つまり、軌跡バッファ３３２に記録されている全てのタッチ座標に対して、方向が検出されるまでステップＳ３５−Ｓ４３の処理が繰り返される。
【００７０】
ステップＳ４１で“ＹＥＳ”であれば、つまり、変数Ｐ２に設定されたタッチ座標がリリース点と一致すれば、記録された方向を取得する。つまり、方向配列に記録された方向のうち、所定回数（たとえば、２０回）以上、記録されている方向を取得する。たとえば、方向配列[０]〜[９９]において、「上」が６０回、「右」が３５回、「左」が５回の順番で記録されている場合、ステップＳ４５の処理では、「上方向」が取得された後に、「右方向」が取得される。
【００７１】
続いて、ステップＳ４７では、方向が１つだけか否かを判断する。つまり、ステップＳ４５の処理で取得された方向が１方向だけか否かを判断する。ステップＳ４７で“ＹＥＳ”であれば、たとえば取得された方向が「上方向」だけであれば、方向バッファ３３４には「上方向」だけが記録される。また、ステップＳ４７で“ＮＯ”であれば、たとえば取得された方向が上記したように「上方向」および「右方向」であれば、ステップＳ５１で複数の方向を方向バッファ３３４に記録する。たとえば、方向バッファ３３４には、取得された順番で「上方向」および「右方向」が記録される。
【００７２】
そして、ステップＳ４９またはステップＳ５１の処理が終了すれば、方向検出処理は終了する。このとき、上位ルーチンが登録処理であれば、プロセッサ２４は登録処理のステップＳ９に進む。
【００７３】
図８はロック解除処理のフロー図である。たとえば、ロック状態が設定された状態で、機能キー２６ｂが操作されると、プロセッサ２４はステップＳ７１でロック画面を表示する。タッチ操作を促す文字や画像などを含むロック画面がディスプレイ３０に表示される。
【００７４】
続いて、ステップＳ７３ではタッチされたか否かを判断する。ステップＳ７３で“ＮＯ”であれば、つまりタッチされていなければステップＳ７３の処理が繰り返される。続いて、ステップＳ７５では軌跡を記録し、ステップＳ７７でリリースされたか否かを判断する。ステップＳ７７で“ＮＯ”であれば、つまりリリースされていなければ、ステップＳ７５に戻る。一方、ステップＳ７７で“ＹＥＳ”であれば、つまりリリースされると、ステップＳ７９で方向検出処理が実行される。つまり、図７に示す方向検出処理が実行され、スライドによって描かれた軌跡に基づく方向が方向バッファ３３２に記録される。なお、ステップＳ７９の処理を実行するプロセッサ２４は方向検出部として機能する。
【００７５】
続いて、ステップＳ８１では、検出された方向が登録された方向と一致するか否かを判断する。つまり、方向バッファ３３２に記録される方向が、機能テーブルデータ３３８に記録される所定の方向と一致するか否かが判断される。なお、ステップＳ８１の処理を実行するプロセッサ２４は判断部として機能する。
【００７６】
ステップＳ８１で“ＮＯ”であれば、つまり検出された方向が登録された方向と一致しなければ、ステップＳ７１に戻る。つまり、ロック状態の解除に失敗したため、ディスプレイ３０にはロック画面が再度表示される。また、ステップＳ８１で“ＹＥＳ”であれば、たとえば検出された方向が機能テーブルの下方向Ｂ１と一致していれば、ステップＳ８３でロック状態を解除し、ステップＳ８５で機能テーブルに基づいて機能を実行する。つまり、ステップＳ８５では、下方向Ｂ１に対応してアラーム機能が実行される。また、ステップＳ８３，Ｓ８５の処理を実行するプロセッサ２４は実行部として機能する。
【００７７】
なお、他の実施例では、記録された軌跡の長さが所定値以下であれば、ステップＳ７９の処理を実行せずに、再入力を求める画面を表示したうえで、ステップＳ７１に戻ってもよい。
【００７８】
＜第２実施例＞
第２実施例では、所定の方向に対応付けられる機能が、機能の実行回数（頻度）に基づいて決められる。なお、第２実施例の携帯電話機１０は、第１実施例と略同じであるため、携帯電話機１０の電気的な構成、ＲＡＭ３４のメモリマップおよびフロー図などの説明は省略する。
【００７９】
図９を参照して、実行された機能の履歴が記録される履歴テーブルには、実行された順
番に機能名が記録される。たとえば、この履歴テーブルによれば、メール機能が３回連続して実行された後、スケジュール機能、アドレス帳機能、ブラウザ機能が実行されたことが分かる。また、所定時間（たとえば、１時間）毎に、履歴テーブルデータ３３６から、実行された回数が多い機能が頻度テーブルに抽出される。たとえば、図９に示す履歴テーブルから抽出された結果が、図１０に示す頻度テーブルとなる。図１０を参照して、最も実行された回数が多い「第１位」の機能はメール機能である。また、次に多い「第２位」の機能はアドレス帳機能であり、「第３位」の機能はブラウザ機能であり、「第４位」の機能はスケジュール機能であり、「第５位」の機能はアラーム機能である。そして、頻度テーブルに抽出された結果が、図１１に示す機能テーブルに反映される。たとえば、下方向Ｂ１には第１位の機能（メール機能）が対応付けられる。また、上方向Ｂ２には第２位の機能（アドレス帳機能）が対応付けられ、左方向Ｂ３には第３位の機能（ブラウザ機能）が対応付けられ、右上方向Ｂ４には第４位の機能（スケジュール機能）が対応付けられ、上右方向Ｂ５には第５位の機能（アラーム機能）が対応付けられる。そのため、第２実施例の携帯電話機１０では、ロック状態で下方向Ｂ１にスライドされると、メール機能が実行される。
【００８０】
このように、第２実施例では、操作方向に順位を設定すると共に、この操作方向の順位と、実行された機能の頻度の順位とが合致するように設定することで、ロック状態の解除とともに所望の機能を実行することができるため、使用者の利便性がより向上する。
【００８１】
なお、上述した第２実施例では、所定時間毎に機能テーブルが更新されるが、他の実施例では、使用者による操作が行われたときに機能テーブルが更新されるようにしてもよい。また、ロック画面では、図１０に示す頻度テーブルの内容が表示されてもよい。
【００８２】
ここで、第２実施例のプロセッサ２４は、ＡｎｄｒｏｉｄおよびＲＥＸなどのＬｉｎｕｘベースのＯＳや、その他のＯＳの制御下で、図６−図８に示す複数の処理に加えて、履歴記録処理も含む複数のタスクを並列的に処理する。
【００８３】
図１２は履歴記録処理のフロー図である。たとえば、携帯電話機１０の電源がオンにされると、プロセッサ２４はステップＳ１０１で機能が実行されたか否かを判断する。たとえば、機能を実行するための操作がされたか否かを判断する。ステップＳ１０１で“ＮＯ”であれば、つまり機能を実行するための操作がされなければ、ステップＳ１０１の処理が繰り返される。一方、ステップＳ１０１で“ＹＥＳ”であれば、たとえば機能を実行するための操作がされると、ステップＳ１０３で実行された機能を記録する。たとえば、メール機能を実行するための操作がされると、履歴テーブルデータ３３６には「メール機能」と記録される。そして、ステップＳ１０３の処理が終了すれば、ステップＳ１０１に戻る。なお、ステップＳ１０３の処理を実行するプロセッサ２４は履歴記録部として機能する。
【００８４】
＜第３実施例＞
第３実施例では、登録された複数の所定の方向のうち少なくとも１方向以上が、機能の実行回数（頻度）に基づいて対応付けられる。なお、第３実施例の携帯電話機１０は、第１実施例および第２実施例と略同じであるため、携帯電話機１０の電気的な構成、ＲＡＭ３４のメモリマップおよびフロー図などの説明は省略する。
【００８５】
図１３を参照して、たとえば、登録された所定の方向Ｂ０−Ｂ５のうち、上方向Ｂ２には、最も実行された回数が多い「第１位」の機能が対応付けられる。すなわち、機能テーブルにおいて、上方向Ｂ２には「頻度」が設定されているため、図１０に示す頻度テーブルのうち第１位の機能が対応付けられる。
【００８６】
たとえば、頻度テーブルが図１０に示す状態であれば、上方向Ｂ２には「第１位」のメール機能が対応付けられる。そして、ロック状態で上方向Ｂ２のスライドがされると、ロック状態が解除されるとともに、メール機能が実行される。
【００８７】
このように、第３実施例では、実行された回数が多い機能と使用者が任意に登録した機能とを同時に、機能テーブルに登録することができる。
【００８８】
ただし、他の実施例では、図１３に示す機能テーブルに複数の「頻度」が設定されてもよい。この場合、機能テーブルに「頻度」が設定される順番（上から下）と頻度テーブルの順位とが一致するように、機能が対応付けられる。たとえば、図１３の右上方向Ｂ４にも「頻度」が設定されている場合は、図１０に示す第２位の機能（「アドレス帳機能」が）右上方向Ｂ４に関連付けられる。
【００８９】
なお、第１実施例−第３実施例は、任意に組み合わせることが可能であり、具体的な組み合わせについては容易に想像できるので、詳細な説明は省略する。
【００９０】
また、機能テーブルにおいて、所定の機能には、上右左方向や、下右上方向などのように３つ以上の方向が組み合わせられたうえで、対応付けられてもよい。
【００９１】
また、携帯電話機１０の通信方式はＣＤＭＡ方式であるが、ＬＴＥ（Ｌｏｎｇ  Ｔｅｒｍ  Ｅｖｏｌｕｔｉｏｎ）方式、Ｗ−ＣＤＭＡ方式、ＧＳＭ方式、ＴＤＭＡ方式、ＦＤＭＡ方式およびＰＨＳ方式などが採用されてもよい。
【００９２】
また、本実施例で用いられた複数のプログラムは、データ配信用のサーバのＨＤＤに記憶され、ネットワークを介して携帯電話機１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯電話機にインストールされた場合、本実施例と同等の効果が得られる。
【００９３】
さらに、本実施例は、携帯電話機１０のみに限らず、いわゆるスマートフォンおよびＰＤＡ（Ｐｅｒｓｏｎａｌ  Ｄｉｇｉｔａｌ  Ａｓｓｉｓｔａｎｔ）に適用されてもよい。
【００９４】
そして、本明細書中で挙げた、配列の数、所定時間などの具体的な数値は、いずれも単なる一例であり、製品の仕様などの必要に応じて適宜変更可能である。
【符号の説明】
【００９５】
１０    …  携帯電話機
２４    …  プロセッサ
２６    …  キー入力装置
３２    …  フラッシュメモリ
３４    …  ＲＡＭ
３６    …  タッチパネル制御回路
３８    …  タッチパネル
【図１】
2015165681.tif 000003
【図２】
2015165681.tif 000004
【図３】
2015165681.tif 000005
【図４】
2015165681.tif 000006
【図５】
2015165681.tif 000007
【図６】
2015165681.tif 000008
【図７】
2015165681.tif 000009
【図８】
2015165681.tif 000010
【図９】
2015165681.tif 000011
【図１０】
2015165681.tif 000012
【図１１】
2015165681.tif 000013
【図１２】
2015165681.tif 000014
【図１３】
2015165681.tif 000015
【手続補正書】
【提出日】平成27年5月8日(2015.5.8)
【手続補正１】
【補正対象書類名】明細書
【補正対象項目名】０００７
【補正方法】変更
【補正の内容】
【０００７】
第１の発明は、所定の処理を実行させないロック状態が設定できる、携帯端末であって、長辺および短辺を有するディスプレイ、タッチパネル、タッチパネルに対する入力を検出する入力検出部、タッチパネルに対する入力に基づいて方向を検出する方向検出部、方向検出部によって検出可能な第１方向および第２方向を記憶する記憶部、ロック状態が設定されているときに方向検出部によって検出された方向が第１方向と一致したとき、ロック状態を解除し、かつ所定の機能を実行する第１解除部、およびロック状態が設定されているときに方向検出部によって検出された方向が第２方向と一致したとき、ロック状態を解除し、所定の機能を実行しない第２解除部を備え、第１方向はディスプレイの長辺方向であり、第２方向はディスプレイの短辺方向である、携帯端末である。
【手続補正２】
【補正対象書類名】明細書
【補正対象項目名】０００８
【補正方法】変更
【補正の内容】
【０００８】
第１の発明では、携帯端末（１０：実施例において対応する部分を例示する参照符号。以下、同じ。）は、タッチ、リリースおよびスライドなどが行われるタッチパネル（３８）と、長辺および短辺を有するディスプレイとを備える。入力検出部（３６）はそれらのタッチ操作による入力を検出する。また、携帯端末にロック状態が設定されると、所定の処理が実行されないようになる。方向検出部（２４，Ｓ７，Ｓ７９）は、たとえば使用者の指がスライドしたときの軌跡の方向を検出する。ＲＡＭなどを含む記憶部（３４）は、方向検出部によって検出可能な第１方向および第２方向を記憶する。ロック状態が設定されているときに方向検出部によって検出された方向が第１方向と一致したとき、第１解除部（２４，Ｓ８３，Ｓ８５）はロック状態を解除し、かつ所定の機能を実行する。第２解除部は、ロック状態が設定されているときに方向検出部によって検出された方向が第２方向と一致したとき、ロック状態を解除し、所定の機能を実行しない。そして、第１方向はディスプレイの長辺方向であり、第２方向はディスプレイの短辺方向である。
【手続補正３】
【補正対象書類名】明細書
【補正対象項目名】０００９
【補正方法】変更
【補正の内容】
【０００９】
第１の発明によれば、使用者は、携帯端末を利用する様々な状況に応じた機能を、ロック状態を解除するとともに実行できるようになる。
【手続補正４】
【補正対象書類名】明細書
【補正対象項目名】００１１
【補正方法】変更
【補正の内容】
【００１１】
第２の発明は、第１の発明に従属し、任意の機能を選択させる選択画面を表示する表示部をさらに備え、記憶部は、所定の機能が対応付けられた第１方向および所定の機能が対応付けられていない第２方向が登録されるテーブルを記憶し、選択画面に基づいて所定の機能が選択されたとき、方向検出部によって検出された第１方向に、選択された所定の機能を対応付けてテーブルに登録する登録部をさらに備える。
【手続補正５】
【補正対象書類名】明細書
【補正対象項目名】００１２
【補正方法】変更
【補正の内容】
【００１２】
第２の発明では、たとえば、表示部（２４，Ｓ９）は、所定の方向を登録しようとするときに、アラーム機能や、メール機能などを選択するための選択画面を表示する。記憶部は、所定の機能が対応付けられた第１方向および所定の機能が対応付けられていない第２方向が登録されるテーブルを記憶する。そして、メール機能が選択された場合、登録部（２４，Ｓ１３）は、登録するために検出された第１方向に、メール機能を対応付けてテーブルに登録する。
【手続補正６】
【補正対象書類名】明細書
【補正対象項目名】００１４
【補正方法】変更
【補正の内容】
【００１４】
第３の発明は、第１の発明に従属し、実行された機能の履歴を記録する履歴記録部をさらに備え、記憶部は、所定の機能が対応付けられた第１方向および所定の機能が対応付けられていない第２方向が登録されるテーブルを記憶し、テーブルに登録される所定の機能は、履歴記録部によって記録された機能の履歴に基づいて決められる。
【手続補正７】
【補正対象書類名】明細書
【補正対象項目名】００１５
【補正方法】変更
【補正の内容】
【００１５】
第３の発明では、履歴記録部（２４、Ｓ１０３）は、たとえば使用者によって実行された機能の履歴を記録する。記憶部は、所定の機能が対応付けられた第１方向および所定の機能が対応付けられていない第２方向が登録されるテーブルを記憶する。そして、テーブルに登録される所定の機能は、履歴記録部によって記録された機能の履歴に基づいて決められる。
【手続補正８】
【補正対象書類名】明細書
【補正対象項目名】００１６
【補正方法】変更
【補正の内容】
【００１６】
第３の発明によれば、実行された機能の頻度を利用してテーブルに記録される機能が決められるため、使用者の利便性がより向上する。
【手続補正９】
【補正対象書類名】明細書
【補正対象項目名】００１７
【補正方法】変更
【補正の内容】
【００１７】
第４の発明は、長辺および短辺を有するディスプレイ、タッチパネル（３８）、タッチパネルに対する入力を検出する入力検出部（３６）、タッチパネルに対する入力に基づいて方向を検出する方向検出部（２４，Ｓ７，Ｓ７９）および方向検出部によって検出可能な第１方向および第２方向を記憶する記憶部を有し、所定の処理を実行させないロック状態が設定できる、携帯端末（１０）のプロセッサ（２４）を、ロック状態が設定されているときに方向検出部によって検出された方向が第１方向と一致したとき、ロック状態を解除し、かつ所定の機能を実行する第１解除部（Ｓ８３，Ｓ８５）、およびロック状態が設定されているときに方向検出部によって検出された方向が第２方向と一致したとき、ロック状態を解除し、所定の機能を実行しない第２解除部として機能させ、第１方向はディスプレイの長辺方向であり、第２方向はディスプレイの短辺方向である、ロック解除プログラムである。
【手続補正１０】
【補正対象書類名】明細書
【補正対象項目名】００１８
【補正方法】変更
【補正の内容】
【００１８】
第４の発明も、第１の発明と同様、使用者は、携帯端末を利用する様々な状況に応じた機能を、ロック状態を解除するとともに実行できるようになる。
【手続補正１１】
【補正対象書類名】明細書
【補正対象項目名】００１９
【補正方法】変更
【補正の内容】
【００１９】
第５の発明は、長辺および短辺を有するディスプレイ、タッチパネル（３８）、タッチパネルに対する入力を検出する入力検出部（３６）、タッチパネルに対する入力に基づいて方向を検出する方向検出部（２４，Ｓ７，Ｓ７９）および方向検出部によって検出可能な第１方向および第２方向を記憶する記憶部を有し、所定の処理を実行させないロック状態が設定できる、携帯端末（１０）におけるロック解除方法であって、携帯端末のプロセッサが、ロック状態が設定されているときに方向検出部によって検出された方向が第１方向と一致したとき、ロック状態を解除し、かつ所定の機能を実行する第１解除ステップ（Ｓ８３，Ｓ８５）、およびロック状態が設定されているときに方向検出部によって検出された方向が第２方向と一致したとき、ロック状態を解除し、所定の機能を実行しない第２解除ステップを実行し、第１方向はディスプレイの長辺方向であり、第２方向はディスプレイの短辺方向である、ロック解除方法である。
【手続補正１２】
【補正対象書類名】明細書
【補正対象項目名】００２０
【補正方法】変更
【補正の内容】
【００２０】
第５の発明も、第１の発明と同様、使用者は、携帯端末を利用する様々な状況に応じた機能を、ロック状態を解除するとともに実行できるようになる。
【手続補正１３】
【補正対象書類名】明細書
【補正対象項目名】００９１
【補正方法】変更
【補正の内容】
【００９１】
また、携帯電話機１０の通信方式はＣＤＭＡ方式であるが、ＬＴＥ（Ｌｏｎｇ  Ｔｅｒｍ  Ｅｖｏｌｕｔｉｏｎ）方式、Ｗ−ＣＤＭＡ方式、ＧＳＭ（登録商標）方式、ＴＤＭＡ方式、ＦＤＭＡ方式およびＰＨＳ方式などが採用されてもよい。
【手続補正１４】
【補正対象書類名】明細書
【補正対象項目名】００９２
【補正方法】変更
【補正の内容】
【００９２】
また、本実施例で用いられた複数のプログラムは、データ配信用のサーバのＨＤＤに記憶され、ネットワークを介して携帯電話機１０に配信されてもよい。また、ＣＤ，ＤＶＤ，ＢＤなどの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯電話機にインストールされた場合、本実施例と同等の効果が得られる。
【手続補正１５】
【補正対象書類名】特許請求の範囲
【補正対象項目名】全文
【補正方法】変更
【補正の内容】
【特許請求の範囲】
【請求項１】
所定の処理を実行させないロック状態が設定できる、携帯端末であって、
長辺および短辺を有するディスプレイ、
タッチパネル、
前記タッチパネルに対する入力を検出する入力検出部、
前記タッチパネルに対する入力に基づいて方向を検出する方向検出部、
前記方向検出部によって検出可能な第１方向および第２方向を記憶する記憶部、
前記ロック状態が設定されているときに前記方向検出部によって検出された方向が前記第１方向と一致したとき、前記ロック状態を解除し、かつ所定の機能を実行する第１解除部、および
前記ロック状態が設定されているときに前記方向検出部によって検出された方向が前記第２方向と一致したとき、前記ロック状態を解除し、所定の機能を実行しない第２解除部を備え、
前記第１方向は前記ディスプレイの長辺方向であり、前記第２方向は前記ディスプレイの短辺方向である、携帯端末。
【請求項２】
任意の機能を選択させる選択画面を表示する表示部をさらに備え、
前記記憶部は、所定の機能が対応付けられた前記第１方向および所定の機能が対応付けられていない前記第２方向が登録されるテーブルを記憶し、
前記選択画面に基づいて所定の機能が選択されたとき、前記方向検出部によって検出された第１方向に、選択された所定の機能を対応付けて前記テーブルに登録する登録部をさらに備える、請求項１記載の携帯端末。
【請求項３】
実行された機能の履歴を記録する履歴記録部をさらに備え、
前記記憶部は、所定の機能が対応付けられた前記第１方向および所定の機能が対応付けられていない前記第２方向が登録されるテーブルを記憶し、
前記テーブルに登録される所定の機能は、前記履歴記録部によって記録された機能の履歴に基づいて決められる、請求項１記載の携帯端末。
【請求項４】
長辺および短辺を有するディスプレイ、タッチパネル、前記タッチパネルに対する入力を検出する入力検出部、前記タッチパネルに対する入力に基づいて方向を検出する方向検出部および前記方向検出部によって検出可能な第１方向および第２方向を記憶する記憶部を有し、所定の処理を実行させないロック状態が設定できる、携帯端末のプロセッサを、
前記ロック状態が設定されているときに前記方向検出部によって検出された方向が前記第１方向と一致したとき、前記ロック状態を解除し、かつ所定の機能を実行する第１解除部、および
前記ロック状態が設定されているときに前記方向検出部によって検出された方向が前記第２方向と一致したとき、前記ロック状態を解除し、所定の機能を実行しない第２解除部として機能させ、
前記第１方向は前記ディスプレイの長辺方向であり、前記第２方向は前記ディスプレイの短辺方向である、ロック解除プログラム。
【請求項５】
長辺および短辺を有するディスプレイ、タッチパネル、前記タッチパネルに対する入力を検出する入力検出部、前記タッチパネルに対する入力に基づいて方向を検出する方向検出部および前記方向検出部によって検出可能な第１方向および第２方向を記憶する記憶部を有し、所定の処理を実行させないロック状態が設定できる、携帯端末におけるロック解除方法であって、前記携帯端末のプロセッサが、
前記ロック状態が設定されているときに前記方向検出部によって検出された方向が前記第１方向と一致したとき、前記ロック状態を解除し、かつ所定の機能を実行する第１解除ステップ、および
前記ロック状態が設定されているときに前記方向検出部によって検出された方向が前記第２方向と一致したとき、前記ロック状態を解除し、所定の機能を実行しない第２解除ステップを実行し、
前記第１方向は前記ディスプレイの長辺方向であり、前記第２方向は前記ディスプレイの短辺方向である、ロック解除方法。